(57)【要約】【課題】  液を用いた冷却機構を有する情報処理装置の小型化と安全性を向上させる。【解決手段】  本発明の発熱素子に熱的に接続された受熱ジャケットとケース底面に設置した放熱部とが、液駆動装置を介してそれらの間で冷却液が循環するように接続された液冷システムを有する情報処理装置は、当該情報処理装置のケース底面に、液冷システムの冷却液の総量より大きな容積の凹部が設けられ、前記受熱ジャケットと前記放熱プレートと前記液駆動装置とをケース底面の凹部の内側に配置した。【選択図】  図1
2006215764.tif 000002
【特許請求の範囲】
【請求項１】
発熱素子に熱的に接続された受熱ジャケットとケース底面に設置した放熱部とが、液駆動装置を介してそれらの間で冷却液が循環するように接続された液冷システムを有する情報処理装置において、
当該情報処理装置のケース底面に、液冷システムの冷却液の総量より大きな容積の凹部が設けられ、前記受熱ジャケットと前記放熱プレートと前記液駆動装置とをケース底面の凹部の内側に配置したことを特徴とする情報処理装置。
【発明の詳細な説明】
【技術分野】
【０００１】
本発明は、ケース内に発熱素子を搭載した配線基板などを収容した情報処理装置の液駆動冷却構造に関する。
【背景技術】
【０００２】
ノート形パーソナルコンピュータ等の情報処理装置のなかには、搭載するＣＰＵ等の発熱部品の高発熱化により、冷却液により発熱部の発生熱を放熱部に熱移送して冷却するものがある（例えば、特許文献１を参照）。より詳しくは、発熱素子に取り付けられた受熱ジャケット、ケース壁に設置した放熱プレートとが液駆動装置を介してそれらの間で冷却液が循環する構造により、発熱素子で発生した熱を受熱ジャケットに伝え、その熱を、受熱ジャケットから放熱プレートまで液駆動装置によって液を駆動することによって伝え、表示部の裏面に設けられた放熱プレートから外気に放熱している。
【０００３】
【特許文献１】特開2002-182797号公報
【発明の開示】
【発明が解決しようとする課題】
【０００４】
特許文献1には、ノート形パーソナルコンピュータにおける液冷技術が開示されているが、装置内部に放熱プレートを設けた構造はデスクトップＰＣ等でも同様であり、いずれにしても、大きな面積の放熱プレートを装置内部に配置するために、装置が大型してしまう問題がある。
【０００５】
情報処理装置には、ケースの強度を向上させる為にケース底面に凹凸を設けているものがある。ケース底面に凹凸を設けた情報処理装置の底面に放熱プレートを配置する場合、ケース底面の凹凸の寸法と放熱プレートの寸法の両方が必要になり、情報処理装置が大きくなってしまう。
【０００６】
また、液駆動装置を用いた情報処理装置では、受熱ジャケット、液駆動装置、放熱プレート及びその連結部から冷却液が漏れてしまう可能性があり、その冷却液を情報処理装置の通電部分や情報処理装置外部に漏らさないように冷却液が漏れる可能性がある部分に冷却液の受け皿を設けた場合、その受け皿の寸法が必要になり、情報処理装置が大きくなってしまう。
【０００７】
本発明の目的は、上記課題を解決し、装置の大型化することなく、放熱プレートを配置する情報処理装置を提供することをにある。
【課題を解決するための手段】
【０００８】
上記課題を解決するために、本発明の発熱素子に熱的に接続された受熱ジャケットとケース底面に設置した放熱部とが、液駆動装置を介してそれらの間で冷却液が循環するように接続された液冷システムを有する情報処理装置は、当該情報処理装置のケース底面に、液冷システムの冷却液の総量より大きな容積の凹部が設けられ、前記受熱ジャケットと前記放熱プレートと前記液駆動装置とをケース底面の凹部の内側に配置した。
【発明の効果】
【０００９】
本発明によれば、情報処理装置のケース底面の補強用の凹部の内側に放熱プレートと受熱ジャケットと液駆動装置を配置するので情報処理装置の大きさを小さくすることができる。
【００１０】
また、冷却系から冷却液が漏れた場合は、放熱プレートと受熱ジャケットと液駆動装置を情報処理装置の底面の凹部に配置しているので、冷却液は情報処理装置の底面の凹部に溜まり、冷却液が情報処理装置の通電部分に漏れないのでショートする危険がなく、また、情報処理装置外部にも漏れることがない。
【発明を実施するための最良の形態】
【００１１】
以下に本発明の実施の形態を説明する。
【実施例１】
【００１２】
本発明の実施例を図２に示す。図２は、本実施例の情報処理装置の斜視図である。情報処理装置は、映像信号用基板２、メイン基板３、電源基板４からなり、ハードディスクドライブ５、光ディスクドライブ６などの映像メディアドライブ、及び、ファン７とともにケース１内に収容される。映像信号用基板２には、ひとつもしくは複数のチューナ９が搭載され、映像信号を受信し、処理された信号は、メイン基板３上に搭載されたＣＰＵ８によって映像データとして映像メディアドライブへ記録されたり、映像メディアドライブから読み出された映像データがＣＰＵ８によって処理され映像信号用基板２を介して外部に出力される。また、映像データが直接入出力されることもある。これらの映像データの処理に伴い、ＣＰＵ８をはじめとして各基板２、３、４上に搭載される素子や映像メディアドライブ５、６が発熱する。これらの発熱は、ファン７によって冷却される。
【００１３】
冷却にかかる詳細な構造を図１、図３、図４および図５に示す。図１は、情報処理装置の斜視図で、メイン基板３、ハードディスクドライブ５、光ディスクドライブ６をＣＰＵ８の中央で切断した図である。図３は、情報処理装置の斜視図で、映像信号用基板２、メイン基板３、電源基板４、ハードディスクドライブ５、光ディスクドライブ６、ファン７を削除した図であり、図４はその平面図である。
【００１４】
図1の拡大図に示すようにメイン基板３のＣＰＵ８の下側は穴が開いており、発熱量の特に大きいＣＰＵ８には、受熱ジャケット１０が取付けられ、両者が熱的に接続される。また、放熱パイプ１１と放熱パイプ１１を這わせた放熱プレート１２と、ポンプ１３、タンク１４がケース１底面に設けられた凹部１５に設置される。この凹部１５の体積はケース１底面の凹部１５の内側に配置した冷却系の冷却液の総量より大きく、凹部１５の内側に穴を設けない。この凹部１５はケース１の強度を向上させるために必要な形状であり、凹部１５なしでケース１の強度を向上させるには補強用の部品を追加するか、ケース１の材質を強度があるものを採用する必要がある。
【００１５】
図５は冷却系を凹部１５の内側に配置した場合と配置しない場合の図である。凹部１５の内側に冷却系を配置しない場合は凹部１５の高さ寸法と冷却系の高さ寸法が直列になるので、ケースの大きさが大きくなるが、凹部１５の内側に冷却系を配置した場合は凹部１５の高さ寸法と冷却系の高さ寸法が並列になるので、ケースの大きさを小さくできる。
【００１６】
受熱ジャケット１０には液が流通するための流路が形成されており、放熱パイプ１１とともに、ポンプ１３、タンク１４を介して液循環流路を構成している。受熱ジャケット１０は、たとえば、アルミなどの金属ブロックに流路を形成し密閉した構造やプレート上にパイプを接合して形成される。循環流路内には、水、もしくは、不凍液などの冷媒液が封入されており、液は、ポンプ１３によって、タンク１４、受熱ジャケット１０、放熱パイプ１１の順で循環する。
【００１７】
なお、各部材の接続配管は、組立性などを考慮してフレキシブルチューブなどを用いても良い。また、タンクは、循環流路系からの液の蒸発などを考慮して容量が決定される。ＣＰＵ８で発生した熱は、受熱ジャケット１０に伝えられ、液の循環によって放熱パイプ１１に輸送され放熱プレート１２から放熱される。このとき、放熱プレート１２からの放熱は、ケース１底面壁を介した外気への自然放熱、および、メイン基板３との間に形成された間隙を流れる空気によって放熱される。
【００１８】
ケースの底面には様々な用途の穴が開いている場合がある。本実施形態でも図3のようにケース１の底面に穴が開いている。通常、ケースは板金で作成されることが多く、本実施例では板金に部品を追加することなく背の高い突起を設けるために、板金にコ字状の穴を開けて、その内側を曲げている。この突起の機能は、基板上のコネクタを勘合させる時に基板の下方向に荷重が加わり、基板がたわんで破損することを防止するためであり、突起の上面と基板底面を接触させている。受熱ジャケット１０、放熱パイプ１１、ポンプ１３、タンク１４およびその連結部から冷却液が漏れた場合は、前述のケース底面の穴から情報処理装置の外部に液が漏れる可能性があるが、本実施例では液を凹部１５の中に溜めることができるので情報処理装置の外部に液が漏れない。
【００１９】
また、受熱ジャケット１０、放熱パイプ１１、ポンプ１３、タンク１４およびその連結部を情報処理装置の底面に配置しているので、液が漏れた場合でも、通電部に液が接触することはないのでショートによる通電部品の破損が防止できる。
【図面の簡単な説明】
【００２０】
【図１】本発明のメイン基板などを切断した斜視図である。
【図２】本発明の斜視図である。
【図３】本発明のケースと、液を用いた冷却系の斜視図である。
【図４】本発明のケースと、液を用いた冷却系の平面図である。
【図５】本発明の断面図である。
【符号の説明】
【００２１】
１…ケース、２…映像信号用基板、３…メイン基板、４…電源基板、
５…ハードディスクドライブ、６…光ディスクドライブ、７…ファン、８…ＣＰＵ、
９…チューナ、１０…受熱ジャケット、１１…放熱パイプ、１２…放熱プレート、
１３…ポンプ、１４…タンク、１５…凹部
【図１】
2006215764.tif 000003
【図２】
2006215764.tif 000004
【図３】
2006215764.tif 000005
【図４】
2006215764.tif 000006
【図５】
2006215764.tif 000007